(57)【要約】  本件は、通信路を介して複数の端末装置に接続された情報処理装置等に関し、装置情報収集の負荷の軽減を図るため、装置情報を記憶する情報記憶部を有し、情報送信要求を受信したことを受けて、同一種類の情報送信要求を最初に送信してきたプライマリセッションの端末装置については装置情報を新たに取得して送信するとともにその装置情報を記憶しておき、非プライマリセッションの端末装置についてはその記憶しておいた装置情報を送信する。
2011070677.tif 000002
【特許請求の範囲】
【請求項１】
通信路を介して複数の端末装置に接続された情報処理装置において、
前記複数の端末装置との間の通信を行う通信部と、
当該情報処理装置の状態を表わす装置情報を取得する装置情報取得部と、
前記装置情報取得部から受け取った装置情報を記憶する情報記憶部を有し、前記複数の端末装置のうちの、第１の状態監視画面に表示される装置情報の送信を要求する第１の情報送信要求を最初に送信してきた第１の端末装置から繰り返し送信される該第１の情報送信要求を前記通信部が受信するたびに、前記装置情報取得部に該第１の情報送信要求に応じた装置情報の取得を要求し該装置情報取得部から該装置情報を受け取って該装置情報を前記情報記憶部に記憶するとともに該装置情報を前記通信部に前記第１の端末装置に向けて送信させ、前記複数の端末装置のうちの、前記第１の端末装置を除く他の端末装置が送信した前記第１の情報送信要求を前記通信部が受信したことを受けて、前記情報記憶部に記憶された、該第１の情報送信要求に応じた装置情報を前記通信部に該他の端末装置に向けて送信させる情報送信制御部と、
を有することを特徴とする情報処理装置。
【請求項２】
前記情報処理装置において、
前記情報送信制御部は、
前記第１の端末装置から前記第１の情報送信要求を除く他の情報送信要求が送信されてきた後は、前記第１の情報送信要求を次に送信してきた端末装置を新たな第１の端末装置としたときの該新たな第１の端末装置からの該第１の情報送信要求を前記通信部が受信したことを受けて、前記装置情報取得部に該第１の情報送信要求に応じた装置情報の取得を要求し該装置情報取得部から該装置情報を受け取って該装置情報を前記情報記憶部に記憶するとともに該装置情報を前記通信部に前記新たな第１の端末装置に向けて送信させ、前記複数の端末装置のうちの前記新たな第１の端末装置を除く他の端末装置が送信した前記第１の情報送信要求を前記通信部が受信したことを受けて、前記情報記憶部に記憶された、該第１の情報送信要求に応じた装置情報を前記通信部に該他の端末装置に向けて送信させることを特徴とする請求項１記載の情報処理装置。
【請求項３】
前記情報処理装置において、
前記第１の状態監視画面には、少なくとも、前記複数の端末装置それぞれにおいて当該情報処理装置の状態監視用として最初に表示される状態監視画面が含まれることを特徴とする請求項１記載の情報処理装置。
【請求項４】
前記情報処理装置において、
前記情報送信制御部は、
前記装置情報取得部から受け取った装置情報を、該装置情報を表示する画面を表わす画面情報に変換して前記情報記憶部に記憶し、および、前記通信部が前記端末装置から情報送信要求を受信したことを受けて前記画面情報を前記通信部に送信させることを特徴とする請求項１から３のうちいずれか１項記載の情報処理装置。
【請求項５】
通信路を介して複数の端末装置に接続された、該複数の端末装置との間の通信を行う通信部と、当該情報処理装置の状態を表わす装置情報を取得する装置情報取得部と、該装置情報取得部から受け取った装置情報を記憶する情報記憶部とを有する情報処理装置で実行される、当該情報処理装置から前記端末装置に向けた送信を制御する制御方法において、
前記複数の端末装置のうちの、第１の状態監視画面に表示される装置情報の送信を要求する第１の情報送信要求を最初に送信してきた第１の端末装置から繰り返し送信される該第１の情報送信要求を前記通信部が受信するたびに、前記装置情報取得部に該第１の情報送信要求に応じた装置情報の取得を要求させ該装置情報取得部から該装置情報を受け取らせて該装置情報を前記情報記憶部に記憶させるとともに該装置情報を前記通信部に前記第１の端末装置に向けて送信させ、
前記複数の端末装置のうちの、前記第１の端末装置を除く他の端末装置が送信した前記第１の情報送信要求を前記通信部が受信したことを受けて、前記情報記憶部に記憶された、該第１の情報送信要求に応じた装置情報を前記通信部に該他の端末装置に向けて送信させることを特徴とする制御方法。
【請求項６】
前記第１の端末装置から前記第１の情報送信要求を除く他の情報送信要求が送信されてきた後は、前記第１の情報送信要求を次に送信してきた端末装置を新たな第１の端末装置としたときの該新たな第１の端末装置からの該第１の情報送信要求を前記通信部が受信したことを受けて、前記装置情報取得部に該第１の情報送信要求に応じた装置情報の取得を要求させ該装置情報取得部から該装置情報を受け取らせて該装置情報を前記情報記憶部に記憶させるとともに該装置情報を前記通信部に前記新たな第１の端末装置に向けて送信させ、
前記複数の端末装置のうちの前記新たな第１の端末装置を除く他の端末装置が送信した前記第１の情報送信要求を前記通信部が受信したことを受けて、前記情報記憶部に記憶された、該第１の情報送信要求に応じた装置情報を前記通信部に該他の端末装置に向けて送信させることを特徴とする請求項５記載の制御方法。
【請求項７】
前記第１の状態監視画面には、少なくとも、前記複数の端末装置それぞれにおいて当該情報処理装置の状態監視用として最初に表示される状態監視画面が含まれることを特徴とする請求項５記載の制御方法。
【請求項８】
前記装置情報取得部から受け取った装置情報を前記情報記憶部に記憶させるにあたり、該装置情報を表示する画面を表わす画面情報に変換させてから前記情報記憶部に記憶させ、前記通信部が前記端末装置から情報送信要求を受信したことを受けて前記画面情報を前記通信部に送信させることを特徴とする請求項５から７のうちいずれか１項記載の制御方法。
【発明の詳細な説明】
【技術分野】
【０００１】
本件は、情報処理装置及び制御方法に関する。
【背景技術】
【０００２】
情報処理装置としてのサーバ装置には、そのサーバ装置に本来業務、例えば銀行における入出金処理業務等を行なわさせる端末装置としてのクライアント装置が接続され、サーバ装置はその本来業務を遂行する。このようなサーバ装置には、本来業務を遂行するクライアント装置だけでなく、さらにシステム制御用端末装置としてのシステム制御用のクライアント装置が接続される。そのサーバ装置では、システム制御用クライアントからの要求に応じて、そのサーバ装置内の各部のセンサの状態等からなる装置情報を取得しシステム制御用クライアント装置に送信する。システム制御用クライアントでは、その装置情報が表示され、オペレータによる、そのサーバ装置が正常に稼動しているか否かの監視に供される。サーバ装置の状態は刻々と変化するため、システム制御用クライアント装置はサーバ装置に向けて一定期間ごと（例えば３０秒ごと）に新たな要求を行ない、サーバ装置から新たな装置情報を得て表示を更新する。【０００３】
ここで、１台のサーバ装置にシステム制御用クライアント装置が複数台接続される場合がある。その場合、サーバ装置ではそれら複数台のクライアント装置それぞれからの要求に応じてサーバ装置内の各部のセンサの状態を取得したりなど、装置情報収集のための負荷が増加する。この負荷を抑えようとするとシステム制御用クライアント装置の同時接続数が制限されるなど、不都合を生じる。【０００４】
ここで、サーバ装置との間が通信経路としてのネットワークで接続された複数のクライアント装置としての端末装置において、それら複数の端末装置のうちの１台でイベントを発生させるとそのイベントが複数の端末装置の全てに反映される技術が提案されている。この技術は複数の端末装置の表示形式を一致させようとするものである。また、複数の端末装置に同一の表示情報を表示形式を変えて同時に表示することが提案されている。
【先行技術文献】
【特許文献】
【０００５】
【特許文献１】特開２００１−２４３１６５号公報
【特許文献２】特開平３−２６８０４８号公報
【発明の概要】
【発明が解決しようとする課題】
【０００６】
本件開示の情報処理装置及び制御方法の課題は、装置情報収集の負荷の軽減を図ることにある。
【課題を解決するための手段】
【０００７】
本件開示の情報処理装置は、通信路を介して複数の端末装置に接続された情報処理装置において、
複数の端末装置との間の通信を行う通信部と、
当該情報処理装置の状態を表わす装置情報を取得する装置情報取得部と、
装置情報取得部から受け取った装置情報を記憶する情報記憶部を有し、上記複数の端末装置のうちの、第１の状態監視画面に表示される装置情報の送信を要求する第１の情報送信要求を最初に送信してきた第１の端末装置から繰り返し送信される第１の情報送信要求を通信部が受信するたびに、装置情報取得部にその第１の情報送信要求に応じた装置情報の取得を要求し装置情報取得部から装置情報を受け取ってその装置情報を情報記憶部に記憶するとともにその装置情報を通信部に第１の端末装置に向けて送信させ、上記複数の端末装置のうちの、上記第１の端末装置を除く他の端末装置が送信した第１の情報送信要求を通信部が受信したことを受けて、情報記憶部に記憶された、その第１の情報送信要求に応じた装置情報を通信部にその第１の情報送信要求を送信した他の端末装置に向けて送信させる情報送信制御部と、
を有する情報処理装置である。
【発明の効果】
【０００８】
本件開示の情報処理装置及び制御方法によれば、一旦取得した装置情報を記憶する情報記憶部を設け、第１の端末装置を除く他の端末装置には、記憶情報部に記憶された装置情報を送信することにより装置情報取得の負荷の軽減が図られる。
【図面の簡単な説明】
【０００９】
【図１】本件の第１実施形態のサーバ装置を示す図である。
【図２】本件の第２実施形態のサーバ装置を示す図である。
【図３】図２に示すサーバ装置の処理内容を示したフローチャートである。
【図４】図２，図３に示すサーバ装置の動作を示すタイミングチャートである。
【図５】比較例としてのサーバ装置の動作を示すタイミングチャートである。
【発明を実施するための形態】
【００１０】
以下本件の実施形態を説明する。
【００１１】
図１は、本件の第１実施形態である情報処理装置としてのサーバ装置を示す図である。
【００１２】
このサーバ装置１００は、通信路２０を介して複数台（ここでは２台）のクライアント装置１０Ａ，１０Ｂに接続されている。通信路２０は、例えばＬＡＮ（Ｌｏｃａｌ  Ａｒｅａ  Ｎｅｔｗｏｒｋ）等のネットワークである。このサーバ装置１００に接続されるクライアント装置は２台に限られるものではなく、３台以上であってもよい。このサーバ装置１００は、通信部としてのポート１１０と、情報送信制御部１２０と、装置情報取得部１３０と、装置Ｈ／Ｗ（ハードウェア）１４０とを有する。装置Ｈ／Ｗ１４０は、ここでは１つのブロックで示しているが、このサーバ装置１４０の各部に広く分散配置され、例えば温度センサ、ファン回転速度センサ、電圧センサ、電流センサ、その他の様々のセンサを含むものである。また情報送信制御部１２０は、後述する装置情報を記憶する情報記憶部１２１を有する。
【００１３】
装置情報取得部１３０は、そのようにサーバ装置１００内に広く分散配置された装置Ｈ／Ｗ１４０から、各センサが収集した計測情報や様々なハードウェア情報等からなる装置情報を収集、取得する。
【００１４】
ポート１１０は、クライアント装置１０Ａ，１０Ｂとの間の通信を担うＬＡＮカード等の通信インタフェースである。
【００１５】
情報送信制御部１２０は、ポート１１０と装置情報取得部１３０との間に介在する。この情報送信制御部１２０は、装置情報取得部１３０から受け取った装置情報を記憶する情報記憶部１２１を有する。この情報送信制御部１２０は、クライアント装置１０Ａ，１０Ｂのいずれかから送信されてきた情報送信要求をポート１１０が受信したことを受けて、その情報送信要求に応じた装置情報をポート１１０に送信させる。ポート１１０は、その情報送信要求に応じた装置情報を、その情報送信要求を送信してきたクライアント装置に向けて送信する。
【００１６】
ここでは各クライアント装置１０Ａ，１０Ｂは、サーバ装置１００に向けて一定周期で（例えば３０秒周期で）、サーバ装置１００のシステム監視用又は状態監視用として最初に状態監視画面上に表示される装置情報の送信の要求である情報送信要求を送信する。
【００１７】
ここでは、一方のクライアント装置１０Ａの方が初回の情報送信要求を行なうタイミングが他方のクライアント装置１０Ｂよりも早かったものとする。ここでは、クライアント装置１０Ａから送信された情報送信要求のみを先に説明する。クライアント装置１０Ａから送信された情報送信要求がポート１１０で受信されると、情報送信制御部１２０は、装置情報取得部１３０に装置情報の取得を要求しその装置情報取得部１３０から装置情報を取得する。情報送信制御部１２０は、その取得した装置情報を情報記憶部１２１に記憶するとともに、その装置情報をポート１１０にクライアント装置１０Ａに向けて送信させる。情報記憶部１２１に装置情報を記憶するにあたっては、同一の状態監視画面上に表示される装置情報が情報記憶部１２１に存在するときは、上書き等によりその装置情報に代えて新たな装置情報を記憶する。クライアント装置１０Ａから次に情報送信要求が送信されてきた場合も同様にして、情報送信制御部１２０は、装置情報取得部１３０に装置情報の取得を再度要求し、その装置情報取得部１３０から装置情報を再度取得する。情報送信制御部１２０は、この再度取得した装置情報を情報記憶部１２１に記憶させるとともにポート１１０にクライアント装置１０Ａに向けて送信させる。これを繰り返すことにより、クライアント装置１０Ａには、装置情報が記録された状態表示画面が表示されて、その状態表示画面上の装置情報が一定周期（例えば３０秒周期）で更新される。
【００１８】
ここで、クライアント装置１０Ｂからも、クライアント装置１０Ａが要求した装置情報と同一の装置情報の送信を要求する装置情報送信要求がサーバ装置１００に向けて同じ周期（例えば３０秒周期）で繰り返し送信される。このクライアント装置１０Ｂからの情報送信要求がポート１１０で受信されると、情報送信制御部１２０は、情報記憶部１２１を参照する。その情報記憶部１２１にはクライアント装置１０Ａからの直前の情報取得要求を受信した際に取得した装置情報が記憶されている。そこで、情報送信制御部１２０は、サーバ装置内の各部のセンサの状態等からなる装置情報を新たに取得することなく、その情報記憶部１２１に記憶されている装置情報を読み出して、ポート１１０にクライアント装置１０Ｂに向けて送信させる。このように、クライアント装置１０Ｂについては、情報送信要求を受信するたびに、サーバ装置内の各部のセンサの状態等からなる装置情報を新たに取得することなく、情報記憶部１２１に記憶されている装置情報がポート１１０から送信される。クライアント装置１０Ｂには、これにより、クライアント装置１０Ａと同様に、状態監視画面上に一定周期（例えば３０秒周期）で更新された装置情報が表示される。
【００１９】
このように、図１のサーバ装置１００によれば、クライアント装置１０Ａからの要求に応じて装置情報の新たな取得が行なわれ、クライアント装置１０Ｂからの要求については装置情報の新たな取得がされることなく記憶された装置情報が送信される。この場合、双方のクライアント装置１０Ａ，１０Ｂそれぞれからの情報送信要求の全てについて装置情報の新たな取得を行なう場合と比べ装置情報の取得処理は半減する。したがって装置情報取得の負荷が軽減される。
【００２０】
図２は、本件の第２実施形態のサーバ装置を示す図である。
【００２１】
このサーバ装置２００は、ＬＡＮ等の通信路を介して４台のクライアント装置（ＷｅｂクライアントＡ〜ＷｅｂクライアントＤ）が接続されている。このサーバ装置２００は、Ｗｅｂサーバ２１０、画面表示制御部２２０、セッション管理部２３０、装置Ｈ／Ｗ管理部２４０、および装置Ｈ／Ｗ２５０を有する。ここで、図１に示す第１実施形態との対比では、Ｗｅｂサーバ２１０がポート１１０に対応し、画面表示制御部２２０とセッション管理部２３０とを合わせたものが情報送信制御部１２０に対応する。Ｗｅｂサーバ２１０とは、具体的にＨＴＴＰ（Ｈｙｐｅｒ  Ｔｅｘｔ  Ｔｒａｎｓｆｅｒ  Ｐｒｏｔｏｃｏｌ）により実現されるサービス機能である。また、画面表示制御部２２０内の情報記憶部２２１が情報記憶部１２１に相当する。さらに、装置Ｈ／Ｗ２５０は装置Ｈ／Ｗ１４０に相当する。
【００２２】
セッション管理部２３０には、各ＷｅｂクライアントＡ〜Ｄに表示されている画面を特定する情報や、同一の画面についてはその画面を最初に表示したクライアント装置（「プライマリセッション」と称する）を特定する情報が格納されている。画面情報制御部２２０は、セッション管理部２３０を参照することにより、各ＷｅｂクライアントＡ〜Ｄで現在表示されている画面やプライマリセッションをどのＷｅｂクライアントＡ〜Ｄが担っているかを知ることができる。
【００２３】
この図２に示すサーバ装置２００における図１に示すサーバ装置１００との相違点は、以上の点であり、Ｗｅｂサーバ２１０、装置Ｈ／Ｗ管理部２４０、および装置Ｈ／Ｗ２５０の各動作は、図１に示すサーバ装置１００の、ポート１１０、装置情報取得部１３０、および装置Ｈ／Ｗ１４０と同じである。すなわち、Ｗｅｂサーバ２１０は、ＷｅｂクライアントＡ〜Ｄとの間の通信を担っている。また、装置Ｈ／Ｗ管理部２４０は、装置Ｈ／Ｗ２５０をアクセスしてこのサーバ装置２００の状態を表わす装置情報を取得する。また、装置Ｈ／Ｗ２５０には、各種のセンサが含まれており、装置Ｈ／Ｗ管理部２４０からのアクセスを受けて、それらのセンサが収集した計測情報やこのサーバ装置２００を構成するハードウェアに関する情報等からなる装置情報を装置Ｈ／Ｗ管理部に取得させる。
【００２４】
図３は、図２に示すサーバ装置２００の処理内容を示したフローチャートである。
【００２５】
ＷｅｂクライアントＡ〜Ｄのいずれかから状態表示依頼が発行されＷｅｂサーバ２１０によりその状態表示依頼が受信されると（Ｓ１）、Ｗｅｂサーバ２１０はその状態表示依頼を画面表示制御部２２０に転送する（Ｓ２）。
【００２６】
ここで、「状態表示依頼」は図１に示す第１実施形態のサーバ装置１００における「情報送信要求」に相当するものであるが、ここでは各Ｗｅｂクライアントにおいて装置情報が記録された状態表示画面が表示されることを考慮して「状態表示依頼」と称している。
【００２７】
次に、画面表示制御部２２０は、セッション管理部２３０に問い合わせて、今回受け取った状態表示依頼を送信してきたＷｅｂクライアントが、その状態表示依頼に対応する状態監視画面を最初に表示したプライマリセッションであるか否かを確認する（Ｓ３）。プライマリセッションのときは、装置Ｈ／Ｗ管理部２４０に装置情報の取得を依頼する（Ｓ４）。装置Ｈ／Ｗ管理部２４０は、装置Ｈ／Ｗ２５０をアクセスし、このサーバ装置の状態を表わす装置情報を取得して、その取得した装置情報を画面表示制御部２２０に渡す（Ｓ５）。画面表示制御部２２０は、その取得した装置情報を、その装置情報を表示する画面を表わす画面情報に変換して、その画面情報に変換した装置情報を情報記憶部２２１に保持する（Ｓ６）。
【００２８】
次いで、その装置情報が、状態表示依頼を今回送信してきた、プライマリセッションを担っているＷｅｂクライアントに返却される（Ｓ８）。
【００２９】
ステップＳ３で非プライマリセッションであると確認されたときは、情報記憶部２２１に保持した装置情報が取得され（Ｓ７）、その装置情報が、非プライマリセッションの、画面表示依頼を今回送信してきたＷｅｂクライアントに返却される（Ｓ８）。
【００３０】
ここで、プライマリセッションを担っているＷｅｂクライアントから別の状態監視画面に関する状態表示依頼があったときは、図２に示すセッション管理部２３０にそれまで記録されていた、それまでの状態監視画面についてのプライマリセッションの情報がリセットされる。そして、次にその状態表示画面に関する状態表示依頼があったときに、その状態表示依頼を送信したＷｅｂクライアントが新たなプライマリセッションとしてセッション管理部２３０に記録される。
【００３１】
図４は、図２，図３に示すサーバ装置の動作を示すタイミングチャートである。
【００３２】
ここでは４台のＷｅｂクライアントＡ〜Ｄのうちの３台のＷｅｂクライアントＡ〜Ｃはリフレッシュ間隔３０秒ごとに新たな状態表示依頼を送信し、残りの１台のＷｅｂクライアントＤはリフレッシュ間隔６０秒ごとに新たな状態表示依頼を送信する。また、ここでは、４台のＷｅｂクライアントＡ〜Ｄに、初期画面としての、サーバ装置２００の全体の装置情報を記録した同一の状態表示画面が表示される。ここでは、ＷｅｂクライアントＡがその状態表示画面に関する状態表示依頼を最初に送信してその状態表示依頼がサーバ装置２００に受信されたものとする。すなわち、ここではＷｅｂクライアントＡがプライマリセッションを担っている。
【００３３】
この場合、ＷｅｂクライアントＡから送信された状態表示依頼については、装置Ｈ／Ｗ管理部により装置Ｈ／Ｗがアクセスされて装置情報の新たな取得が行なわれる。他のＷｅｂクライアントＢ〜Ｄから送信された状態表示依頼については、装置Ｈ／Ｗのアクセスによる装置情報の新たな取得は行なわれずに、画像表示制御部が保持している装置情報が返却される。
【００３４】
図５は、比較例としてのサーバ装置の動作タイミングチャートである。
【００３５】
この図５に示す動作タイミングチャートにおける動作条件は、プライマリセッションと非プライマリセッションとを区別していないこと以外は、図４に示す動作タイミングチャートにおける動作条件と同一である。
【００３６】
この図５に示す比較例としてのサーバ装置の場合、どのＷｅｂクライアントＡ〜Ｄから送信されてきた状態表示依頼についても、全て装置Ｈ／Ｗがアクセスされて装置情報が新たに取得される。
【００３７】
図４と図５とを比較すると分かるように、図４の場合、非プライマリセッションでは新たな装置Ｈ／Ｗのアクセスは行なわれず、これらの装置情報取得の負荷が大きく軽減される。
【００３８】
尚、ここでは、複数種類の状態監視画面が存在するときにそれら複数種類の状態監視画面それぞれについてプライマリセッションを設定することを念頭に置いた説明を行ったが、プライマリセッションを設定するのは、それら複数種類のうちの一部のみでもよい。例えば、サーバ装置の状態監視用として最初に表示される状態監視画面のみ、図３，図４に示すようなプライマリセッションと非プライマリセッションとに分けた処理を行ってもよい。各ＷｅｂクライアントＡ〜Ｄでは、最初に表示される状態監視画面が長時間表示されることが多く、この最初に表示される状態監視画面のみについて上記の処理を行なった場合にもサーバ装置の負荷の大幅な軽減が図られる。このサーバ装置の負荷が軽減されると処理能力に余裕が出るため、例えば同時接続可能なＷｅｂクライアントの数を増加させることができる。また、その負荷の軽減分をそのサーバ装置の本来業務に振り分けることができる。
【符号の説明】
【００３９】
１０Ａ，１０Ｂ    クライアント装置
１００，２００    サーバ装置
１１０    ポート
１２０    情報送信制御部
１２１，２２１    情報記憶部
１３０    装置情報取得部
１４０，２５０    装置Ｈ／Ｗ（ハードウェア）
２１０    Ｗｅｂサーバ
２２０    画面表示制御部
２３０    セッション管理部
２４０    装置Ｈ／Ｗ管理部
【図１】
2011070677.tif 000003
【図２】
2011070677.tif 000004
【図３】
2011070677.tif 000005
【図４】
2011070677.tif 000006
【図５】
2011070677.tif 000007
【手続補正書】
【提出日】平成24年5月10日(2012.5.10)
【手続補正１】
【補正対象書類名】特許請求の範囲
【補正対象項目名】全文
【補正方法】変更
【補正の内容】
【特許請求の範囲】
【請求項１】
通信路を介して複数の端末装置に接続された情報処理装置において、
前記複数の端末装置との間の通信を行う通信部と、
当該情報処理装置の状態を表わす装置情報を取得する装置情報取得部と、
前記装置情報取得部から受け取った装置情報を記憶する情報記憶部を有し、前記複数の端末装置のうちの、第１の状態監視画面に表示される装置情報の送信を要求する第１の情報送信要求を最初に送信してきた第１の端末装置から繰り返し送信される該第１の情報送信要求を前記通信部が受信するたびに、前記装置情報取得部に該第１の情報送信要求に応じた装置情報の取得を要求し該装置情報取得部から該装置情報を受け取って該装置情報を前記情報記憶部に記憶するとともに該装置情報を前記通信部に前記第１の端末装置に向けて送信させ、前記複数の端末装置のうちの、前記第１の端末装置を除く他の端末装置が送信した前記第１の情報送信要求を前記通信部が受信したことを受けて、前記情報記憶部に記憶された、該第１の情報送信要求に応じた装置情報を前記通信部に該他の端末装置に向けて送信させる情報送信制御部と、
を有することを特徴とする情報処理装置。
【請求項２】
前記情報処理装置において、
前記情報送信制御部は、
前記第１の端末装置から前記第１の情報送信要求を除く他の情報送信要求が送信されてきた後は、前記第１の情報送信要求を次に送信してきた端末装置を新たな第１の端末装置としたときの該新たな第１の端末装置からの該第１の情報送信要求を前記通信部が受信したことを受けて、前記装置情報取得部に該第１の情報送信要求に応じた装置情報の取得を要求し該装置情報取得部から該装置情報を受け取って該装置情報を前記情報記憶部に記憶するとともに該装置情報を前記通信部に前記新たな第１の端末装置に向けて送信させ、前記複数の端末装置のうちの前記新たな第１の端末装置を除く他の端末装置が送信した前記第１の情報送信要求を前記通信部が受信したことを受けて、前記情報記憶部に記憶された、該第１の情報送信要求に応じた装置情報を前記通信部に該他の端末装置に向けて送信させることを特徴とする請求項１記載の情報処理装置。
【請求項３】
前記情報処理装置において、
前記第１の状態監視画面には、少なくとも、前記複数の端末装置それぞれにおいて当該情報処理装置の状態監視用として最初に表示される状態監視画面が含まれることを特徴とする請求項１記載の情報処理装置。
【請求項４】
前記情報処理装置において、
前記情報送信制御部は、
前記装置情報取得部から受け取った装置情報を、該装置情報を表示する画面を表わす画面情報に変換して前記情報記憶部に記憶し、および、前記通信部が前記端末装置から情報送信要求を受信したことを受けて前記画面情報を前記通信部に送信させることを特徴とする請求項１から３のうちいずれか１項記載の情報処理装置。
【請求項５】
通信路を介して複数の端末装置に接続された、該複数の端末装置との間の通信を行う通信部と、当該情報処理装置の状態を表わす装置情報を取得する装置情報取得部と、該装置情報取得部から受け取った装置情報を記憶する情報記憶部とを有する情報処理装置で実行される、当該情報処理装置から前記端末装置に向けた送信を制御する制御方法において、
前記複数の端末装置のうちの、第１の状態監視画面に表示される装置情報の送信を要求する第１の情報送信要求を最初に送信してきた第１の端末装置から繰り返し送信される該第１の情報送信要求を前記通信部が受信するたびに、前記装置情報取得部に該第１の情報送信要求に応じた装置情報の取得を要求させ該装置情報取得部から該装置情報を受け取らせて該装置情報を前記情報記憶部に記憶させるとともに該装置情報を前記通信部に前記第１の端末装置に向けて送信させ、
前記複数の端末装置のうちの、前記第１の端末装置を除く他の端末装置が送信した前記第１の情報送信要求を前記通信部が受信したことを受けて、前記情報記憶部に記憶された、該第１の情報送信要求に応じた装置情報を前記通信部に該他の端末装置に向けて送信させることを特徴とする制御方法。
【国際調査報告】
2011070677.tif 000008
2011070677.tif 000009